【手続補正書】
【提出日】平成19年8月17日(2007.8.17)
【手続補正１】
【補正対象書類名】特許請求の範囲
【補正対象項目名】全文
【補正方法】変更
【補正の内容】
【特許請求の範囲】
【請求項１】
データチャネルが第１の複数のサブキャリアに配置され、
制御チャネルが、前記第１の複数のサブキャリアよりも、周波数軸上で、前記第１の複数のサブキャリアと第２の複数のサブキャリアからなるマルチキャリア信号の中心周波数の近くにある前記第２の複数のサブキャリアのみに配置されたマルチキャリア信号を受信する受信手段、を具備し、
前記データチャネルの中心周波数と前記制御チャネルの中心周波数は共通である、
無線受信装置。
【請求項２】
データチャネルが第１の複数のサブキャリアに配置され、
制御チャネルが、前記第１の複数のサブキャリアよりも、周波数軸上で、前記第１の複数のサブキャリアと第２の複数のサブキャリアからなるマルチキャリア信号の中心周波数の近くにある前記第２の複数のサブキャリアのみに配置されたマルチキャリア信号を受信する受信手段と、
前記マルチキャリア信号をダウンコンバートするダウンコンバート手段と、を具備し、
前記データチャネルの中心周波数と前記制御チャネルの中心周波数は共通の周波数であり、
前記ダウンコンバート手段は、前記共通の周波数でダウンコンバートを行う、
無線受信装置。
【請求項３】
前記第１の複数のサブキャリアと前記第２の複数のサブキャリアとの間にガード周波数帯が設けられる、
請求項１又は請求項２記載の無線受信装置。
【請求項４】
請求項１から請求項３のいずれかに記載の無線受信装置を具備する基地局装置。
【請求項５】
請求項１から請求項３のいずれかに記載の無線受信装置を具備する移動局装置。
【請求項６】
データチャネルが第１の複数のサブキャリアに配置され、
制御チャネルが、前記第１の複数のサブキャリアよりも、周波数軸上で、前記第１の複数のサブキャリアと第２の複数のサブキャリアからなるマルチキャリア信号の中心周波数の近くにある前記第２の複数のサブキャリアのみに配置されたマルチキャリア信号を受信する受信ステップ、を具備し、
前記データチャネルの中心周波数と前記制御チャネルの中心周波数は共通である、
無線受信方法。
【請求項７】
データチャネルが第１の複数のサブキャリアに配置され、
制御チャネルが、前記第１の複数のサブキャリアよりも、周波数軸上で、前記第１の複数のサブキャリアと第２の複数のサブキャリアからなるマルチキャリア信号の中心周波数の近くにある前記第２の複数のサブキャリアのみに配置されたマルチキャリア信号を受信する受信ステップと、
前記マルチキャリア信号をダウンコンバートするダウンコンバートステップと、を具備し、
前記データチャネルの中心周波数と前記制御チャネルの中心周波数は共通の周波数であり、
前記ダウンコンバートステップにおいて、前記共通の周波数でダウンコンバートを行う、
無線受信方法。
【請求項８】
前記第１の複数のサブキャリアと前記第２の複数のサブキャリアとの間にガード周波数帯が設けられる、
請求項６又は請求項７記載の無線受信方法。
【請求項９】
無線送信装置と無線受信装置とからなる無線通信システムであって、
前記無線送信装置は、
データチャネルを第１の複数のサブキャリアに配置し、
制御チャネルを、前記第１の複数のサブキャリアよりも、周波数軸上で、前記第１の複数のサブキャリアと第２の複数のサブキャリアからなるマルチキャリア信号の中心周波数の近くにある前記第２の複数のサブキャリアのみに配置する配置手段と、
前記マルチキャリア信号にキャリア信号を乗算する乗算手段と、
前記キャリア信号乗算後のマルチキャリア信号を送信する送信手段と、を具備し、
前記無線受信装置は、
前記無線送信装置から送信された前記マルチキャリア信号を受信する受信手段、を具備し、
前記データチャネルの中心周波数と前記制御チャネルの中心周波数は共通である、
無線通信システム。
【請求項１０】
無線送信装置と無線受信装置とからなる無線通信システムであって、
前記無線送信装置は、
データチャネルを第１の複数のサブキャリアに配置し、
制御チャネルを、前記第１の複数のサブキャリアよりも、周波数軸上で、前記第１の複数のサブキャリアと第２の複数のサブキャリアからなるマルチキャリア信号の中心周波数の近くにある前記第２の複数のサブキャリアのみに配置する配置手段と、
前記マルチキャリア信号にキャリア信号を乗算する乗算手段と、
前記キャリア信号乗算後のマルチキャリア信号を送信する送信手段と、を具備し、
前記無線受信装置は、
前記無線送信装置から送信された前記マルチキャリア信号を受信する受信手段と、
前記マルチキャリア信号をダウンコンバートするダウンコンバート手段と、を具備し、
前記データチャネルの中心周波数と前記制御チャネルの中心周波数は共通であり、
前記ダウンコンバート手段は、前記共通の周波数でダウンコンバートを行う、
無線通信システム。
【請求項１１】
基地局と移動局によって行われる移動通信方法であって、
前記基地局において、データチャネルを第１の複数のサブキャリアに配置し、制御チャネルを、前記第１の複数のサブキャリアよりも、周波数軸上で、前記第１の複数のサブキャリアと第２の複数のサブキャリアからなるマルチキャリア信号の中心周波数の近くにある前記第２の複数のサブキャリアのみに配置する配置ステップと、
前記基地局において、前記マルチキャリア信号にキャリア信号を乗算する乗算ステップと、
前記基地局において、前記キャリア信号乗算後のマルチキャリア信号を送信する送信ステップと、
前記移動局において、前記基地局から送信された前記マルチキャリア信号を受信する受信ステップと、を具備し、
前記データチャネルの中心周波数と前記制御チャネルの中心周波数は共通である、
無線通信方法。
【請求項１２】
基地局と移動局によって行われる移動通信方法であって、
前記基地局において、データチャネルを第１の複数のサブキャリアに配置し、制御チャネルを、前記第１の複数のサブキャリアよりも、周波数軸上で、前記第１の複数のサブキャリアと第２の複数のサブキャリアからなるマルチキャリア信号の中心周波数の近くにある前記第２の複数のサブキャリアのみに配置する配置ステップと、
前記基地局において、前記マルチキャリア信号にキャリア信号を乗算する乗算ステップと、
前記基地局において、前記キャリア信号乗算後のマルチキャリア信号を送信する送信ステップと、
前記移動局において、前記基地局から送信された前記マルチキャリア信号を受信する受信ステップと、
前記マルチキャリア信号をダウンコンバートするダウンコンバートステップと、を具備し、
前記データチャネルの中心周波数と前記制御チャネルの中心周波数は共通であり、
前記ダウンコンバートステップにおいて、前記共通の周波数でダウンコンバートを行う、
無線通信方法。
【手続補正２】
【補正対象書類名】明細書
【補正対象項目名】発明の名称
【補正方法】変更
【補正の内容】
【発明の名称】無線受信装置
【手続補正３】
【補正対象書類名】明細書
【補正対象項目名】０００１
【補正方法】変更
【補正の内容】
【０００１】
本発明は、デジタル無線通信システムにおいて使用される無線受信装置に関する。
【手続補正４】
【補正対象書類名】明細書
【補正対象項目名】０００７
【補正方法】変更
【補正の内容】
【０００７】
本発明の無線受信装置は、データチャネルが第１の複数のサブキャリアに配置され、
制御チャネルが、前記第１の複数のサブキャリアよりも、周波数軸上で、前記第１の複数のサブキャリアと第２の複数のサブキャリアからなるマルチキャリア信号の中心周波数の近くにある前記第２の複数のサブキャリアのみに配置されたマルチキャリア信号を受信する受信手段、を具備し、前記データチャネルの中心周波数と前記制御チャネルの中心周波数は共通である構成を採る。
【手続補正５】
【補正対象書類名】明細書
【補正対象項目名】０００８
【補正方法】変更
【補正の内容】
【０００８】
本発明によれば、受信信号に対して乗算されるローカル信号の周波数を共通化し、制御チャネル及びデータチャネル間の切り換えを高速化することができるとともに、必要な制御チャネルだけを取り出して受信することができる。